(57)【特許請求の範囲】
【請求項１】
引起装置を上部の左右向き軸芯周りに振り上げ揺動操作可能に支持するとともに、前記引起装置の下部を所定の作業位置に向けて上下方向及び左右方向で係合案内する案内手段と、前記引起装置の下部を所定の作業位置に固定する固定手段とを装備し、
隣接する左右の引起装置を連結部材で連結するとともに、該連結部材を前記案内手段と前記固定手段のいずれか一方又は双方に利用してあるコンバインの前処理部構造。
【請求項２】
前記固定手段が前記引起装置の下部を所定の作業位置で係合固定するように構成してある請求項１記載のコンバインの前処理部構造。
【請求項３】
前記引起装置の下端直前箇所に配備される分草具を、前記引起装置の揺動領域から外れた位置に変位可能に構成してある請求項１又は２に記載のコンバインの前処理部構造。
【請求項４】
前記引起装置の上下揺動操作に連動して、該引起装置の上部に近接する防塵カバーの前部が、所定の防塵位置と前記引起装置の振り上げ揺動を許容する非防塵位置とに亘って変位するように構成してある請求項１〜３のいずれか一つに記載のコンバインの前処理部構造。
【発明の詳細な説明】
【０００１】
【発明の属する技術分野】
本発明は、植立穀稈の株元側に作用して分草する分草具、分草された植立穀稈を引き起こす引起装置、引き起こされた植立穀稈の株元側を切断する刈取装置、刈り取られた穀稈を起立姿勢で後方へ搬送する補助搬送装置、及び、起立姿勢の刈取穀稈を寄せ集めるとともに徐々に横倒し姿勢に変更しながら後方の脱穀装置に向けて供給搬送する供給搬送装置、などを備えたコンバインの前処理部構造に関する。
【０００２】
【従来の技術】
従来、上記のようなコンバインの前処理部構造においては、例えば、特開平８−１８７０２６号公報などで開示されているように、補助搬送装置の前方箇所に引起装置が固定配備されていることから、補助搬送装置や供給搬送装置の穀稈詰まりに対する処理などのメンテナンス作業は、前処理部における前部側の引起装置間、あるいは、横側部側の引起装置と補助搬送装置との間や引起装置と供給搬送装置との間などに形成された隙間から手を差し入れて行うようにしていた。
【０００３】
【発明が解決しようとする課題】
しかしながら、上記の従来技術によると、引起装置間などに形成される隙間はかなり狭いものであることから、補助搬送装置や供給搬送装置に対するメンテナンス作業が困難でかなりの手間を要するものとなっていた。特に、刈り取り条数の多いものにおいては、横側方から手を差し入れても補助搬送装置や供給搬送装置の中央部には手が届き難いことから、補助搬送装置や供給搬送装置に対するメンテナンス作業が、より困難で更に手間を要するものとなっていた。ちなみに、補助搬送装置や供給搬送装置に対するメンテナンス作業を行う際に前処理部から引起装置を取り外すようにすると、補助搬送装置や供給搬送装置の前方箇所が大きく開放されるようになることから、補助搬送装置や供給搬送装置に対するメンテナンス作業は行い易くなるのであるが、この場合、前処理部から引起装置を取り外すには、引起装置の連結解除や引起装置に対する伝動系の切り離しなどの取り外し作業を工具を用いて行う必要があり、又、メンテナンス作業後には引起装置の取り付け作業を工具を用いて正確に行う必要があることから、メンテナンス作業がかなり煩わしいものとなる。
【０００４】
本発明の目的は、補助搬送装置や供給搬送装置の前方箇所を簡単に開閉できるようにして、補助搬送装置や供給搬送装置に対するメンテナンス作業を容易に行えるようにすることにある。
【０００５】
【課題を解決するための手段】
上記目的を達成するため、本発明のうちの請求項１記載の発明では、コンバインの前処理部構造において、引起装置を上部の左右向き軸芯周りに振り上げ揺動操作可能に支持するとともに、前記引起装置の下部を所定の作業位置に向けて上下方向及び左右方向で係合案内する案内手段と、前記引起装置の下部を所定の作業位置に固定する固定手段とを装備し、隣接する左右の引起装置を連結部材で連結するとともに、該連結部材を前記案内手段と前記固定手段のいずれか一方又は双方に利用した。
【０００６】
〔作用〕
上記請求項１記載の発明によると、補助搬送装置や供給搬送装置に対するメンテナンス作業を行う際には、固定手段による所定の作業位置での引起装置下部の固定を解除し、引起装置を上部の左右向き軸芯周りに振り上げ揺動操作することによって、簡単に補助搬送装置や供給搬送装置の前方箇所を大きく開放することができるようになる。これによって、補助搬送装置や供給搬送装置に対するメンテナンス作業は、大きく開放された補助搬送装置や供給搬送装置の前方箇所から容易に行えるようになる。一方、そのメンテナンス作業後に引起装置の下部を所定の作業位置に固定する際には、引起装置を上部の左右向き軸芯周りに下降揺動操作すると、引起装置の下部が、案内手段により所定の作業位置に向けて上下方向及び左右方向で係合案内されるようになる。これによって、引起装置下部の上下方向及び左右方向への位置ズレを阻止することができて、引起装置の下部を所定の作業位置に容易かつ正確に位置させることができるようになる。又、所定の作業位置に位置する引起装置の下部は、固定手段によってその位置に簡単に固定することができるようになる。つまり、補助搬送装置や供給搬送装置の前方箇所を簡単に開閉することができ、これによって、補助搬送装置や供給搬送装置に対するメンテナンス作業を容易に行えるようになる。
【０００７】
更に、隣接する左右の引起装置を連結部材で連結することによって、隣接する左右の引起装置を一挙に上部の左右向き軸芯周りに上下揺動操作できることから、隣接する左右の引起装置を個別に上部の左右向き軸芯周りに上下揺動操作する場合に比較して、補助搬送装置や供給搬送装置の前方箇所をより簡単に開閉できるとともに、引起装置の下部を所定の作業位置に係合案内する案内手段、及び、引起装置の下部を所定の作業位置に固定する固定手段の設置個数を削減できるようになる。その上、その連結部材を案内手段と固定手段のいずれか一方又は双方に利用することから、補助搬送装置や供給搬送装置の前方箇所をより簡単に開閉できるようにしながらも、それに要する構成の簡素化並びに製造コストの低減化を図れるようになる。
【０００８】
〔効果〕
従って、補助搬送装置や供給搬送装置に対するメンテナンス作業性の向上を図れる上に、構成の簡素化並びに製造コストの低減化を図ることのできるコンバインの前処理部構造を提供できるに至った。
【０００９】
本発明のうちの請求項２記載の発明では、上記請求項１記載の発明において、前記固定手段が前記引起装置の下部を所定の作業位置で係合固定するように構成した。
【００１０】
〔作用〕
上記請求項２記載の発明によると、固定手段による係合で引起装置の下部を所定の作業位置に固定することから、所定の作業位置での引起装置下部の固定及び固定解除をより簡単に行えるようになる。つまり、補助搬送装置や供給搬送装置の前方箇所を更に簡単に開閉できるようになることから、補助搬送装置や供給搬送装置に対するメンテナンス作業も更に容易に行えるようになる。
【００１１】
〔効果〕
従って、より一層の補助搬送装置や供給搬送装置に対するメンテナンス作業性の向上を図ることのできるコンバインの前処理部構造を提供できるに至った。
【００１２】
本発明のうちの請求項３記載の発明では、上記請求項１又は２に記載の発明において、前記引起装置の下端直前箇所に配備される分草具を、前記引起装置の揺動領域から外れた位置に変位可能に構成した。
【００１３】
〔作用〕
上記請求項３記載の発明によると、引起装置を振り上げ揺動操作する際には、その操作の邪魔になる分草具を引起装置の揺動領域から外れた位置に容易に変位させることができ、又、引起装置を下降揺動操作した後は、分草具を引起装置の揺動領域内である引起装置の下端直前箇所に容易に戻すことができるので、引起装置を振り上げ揺動操作する際に前もって工具を用いて分草具を引起装置の下端直前箇所から取り外す、及び、引起装置を下降揺動操作した後に工具を用いて分草具を引起装置の下端直前箇所に再び取り付ける、といった手間が生じることを回避できるようになる。つまり、補助搬送装置や供給搬送装置の前方箇所をより一層簡単に開閉できるようになることから、補助搬送装置や供給搬送装置に対するメンテナンス作業もより一層容易に行えるようになる。
【００１４】
〔効果〕
従って、より効果的に補助搬送装置や供給搬送装置に対するメンテナンス作業性の向上を図ることのできるコンバインの前処理部構造を提供できるに至った。
【００１５】
本発明のうちの請求項４記載の発明では、上記請求項１〜３のいずれか一つに記載の発明において、前記引起装置の上下揺動操作に連動して、該引起装置の上部に近接する防塵カバーの前部が、所定の防塵位置と前記引起装置の振り上げ揺動を許容する非防塵位置とに亘って変位するように構成した。
【００１６】
〔作用〕
上記請求項４記載の発明によると、引起装置の上部に近接していることによって引起装置の振り上げ揺動操作に支障を来すようになる防塵カバーを、引起装置の振り上げ揺動操作の際に所定の防塵位置から取り外す、及び、引起装置の下降揺動操作の後に所定の防塵位置に再び取り付ける、などの手間が生じることを回避できるようになる。尚、この防塵カバーは、コンバインの前処理部による前処理作業時に発生する塵埃の操縦部などへの飛散を防止するために、引起装置から後方に向けて延設されるものである。
【００１７】
〔効果〕
従って、引起装置の上部に近接する防塵カバーを備えたものにおける補助搬送装置や供給搬送装置に対するメンテナンス作業性のより一層の向上を図ることのできるコンバインの前処理部構造を提供できるに至った。
【００１８】
【発明の実施の形態】
以下、本発明の実施の形態を図面に基づいて説明する。
【００１９】
図１には自脱型コンバインの前半部側面が示されており、このコンバインは、左右一対のクローラ式走行装置１Ａを備えた走行機体１の前部に、六条分の植立穀稈を刈り取って後方へ搬送する前処理部２を左右向き軸芯Ｐ１周りに上下揺動自在に連結し、かつ、走行機体１に、フィードチェーン３Ａにより挾持搬送される刈取穀稈に対して脱穀処理を施すとともに、脱穀処理後の処理物に対して選別処理を施す脱穀装置３、などを搭載することによって六条刈り用に構成されている。
【００２０】
図１〜３に示すように、前処理部２は、植立穀稈の株元側に作用して分草する分草具４、分草された植立穀稈を引き起こす引起装置５、引き起こされた植立穀稈の株元側を切断するバリカン形式の刈取装置６、刈り取られた植立穀稈（刈取穀稈）を起立姿勢で後方へ搬送する補助搬送装置７、起立姿勢の刈取穀稈を寄せ集めるとともに徐々に横倒し姿勢に変更しながら脱穀装置３に向けて供給搬送する供給搬送装置８、及び、それらを支持する刈取フレーム９、などによって構成されている。
【００２１】
図１及び図２に示すように、補助搬送装置７は、刈取穀稈の穂先側を後方に向けて係止搬送するベルト式係止搬送機構７Ａと、刈取穀稈の株元側を後方に向けて係止搬送するパッカー７Ｂによって構成されている。供給搬送装置８は、補助搬送装置７により搬送された刈取穀稈の穂先側を左右中央側に寄せ集めながら後方に向けて係止搬送するチェーン式係止搬送機構８Ａ、補助搬送装置７により搬送された刈取穀稈の株元側を左右中央側に寄せ集めながら後方に向けて挾持搬送する第一チェーン式挾持搬送機構８Ｂ、第一チェーン式挾持搬送機構８Ｂにより左右中央側に寄せ集められた刈取穀稈の株元側を左後方に向けて挾持搬送する第二チェーン式挾持搬送機構８Ｃ、及び、第二チェーン式挾持搬送機構８Ｃにより搬送された刈取穀稈の株元側を受け取って脱穀装置３のフィードチェーン３Ａに供給するチェーン式補助挾持搬送機構８Ｄ、などによって構成されている。尚、第二チェーン式挾持搬送機構８Ｃは、その前端側に設定された軸芯Ｐ２周りに揺動自在に支持されており、その揺動操作により、その後端部のチェーン式補助挾持搬送機構８Ｄに対する穀稈受け渡し位置を変更することによって、脱穀装置３における刈取穀稈の扱深さを調節できるようになっている。
【００２２】
図１及び図３〜５に示すように、刈取フレーム９は、走行機体１から前方に向けて左右向き軸芯Ｐ１周りに上下揺動自在に延設された主フレーム部９Ａ、主フレーム部９Ａの前部から上方に向けて延設された第一支持フレーム部９Ｂ、主フレーム部９Ａの前部から前方に向けて延設された第二支持フレーム部９Ｃ、及び、第二支持フレーム部９Ｃの前部に連結された第三支持フレーム部９Ｄ、などによって構成されるとともに、引起装置５、刈取装置６、補助搬送装置７、及び供給搬送装置８へ伝動する前処理部伝動機構１０が内装されている。
【００２３】
図３〜７に示すように、各引起装置５は、上下両端部が刈取フレーム９によって支持されたベースフレーム１１、ベースフレーム１１の上部に装備された駆動スプロケット１２、ベースフレーム１１の下部に装備されたガイドローラ１３、駆動スプロケット１２の横側方に配備されたテンションスプロケット１４、駆動スプロケット１２とガイドローラ１３とテンションスプロケット１４とに亘って回し掛けられた無端回動チェーン１５、無端回動チェーン１５に所定間隔を隔てる状態で無端回動チェーン１５に沿う非作用姿勢と無端回動チェーン１５に直交する作用姿勢とに姿勢切り換え可能に装着された複数の引起爪１６、無端回動チェーン１５の回動経路における引起経路部分にて引起爪１６を作用姿勢に保持した状態で上昇案内するガイドレール１７、引起爪１６が無端回動チェーン１５の回動経路における引き起こし経路部分から戻り経路部分に移行する際に作用姿勢に切り換わることを阻止するクッションゴム１８、及び、無端回動チェーン１５の回動経路を覆う化粧カバー１９、などによって構成されている。
【００２４】
図１及び図３〜１０に示すように、前処理部２の左右両端に位置する引起装置５は、それぞれ、ベースフレーム１１の上端部が刈取フレーム９における第一支持フレーム部９Ｂの固定フレーム部分９ａに支持されるとともに、ベースフレーム１１の下端部が刈取フレーム９の第三支持フレーム部９Ｄに固着されている。一方、前処理部２の左右両端以外に位置する四基の引起装置５は、それぞれ、ベースフレーム１１の上端部が、第一支持フレーム部９Ｂにおける固定フレーム部分９ａに左右向き軸芯Ｐ３周りに回動自在に内嵌支持された左右の回動フレーム部分９ｂのうちの対応するものに支持されるとともに、ベースフレーム１１の下端部が対応する左右の連結具２０を介して刈取フレーム９の第三支持フレーム部９Ｄに着脱自在に連結されている。左右の回動フレーム部分９ｂは、その外周両端部に形成された環状の係合溝ａに、固定フレーム部分９ａにボルト連結されるキープレート９ｃが係入されることによって、固定フレーム部分９ａに対して左右向き軸芯Ｐ３周りに回動自在でありながら左右向き軸芯Ｐ３に沿う方向での摺動移動が阻止されるようになっている。左右の連結具２０は、引起装置５に装着された可動連結部２０Ａと、刈取フレーム９に装着された固定連結部２０Ｂによって構成されている。可動連結部２０Ａは、隣接するベースフレーム１１の下端部同士を連結するパイプ材からなる連結部材２１、連結部材２１に溶接された側面視コの字状のプレート材からなる係入部材２２、及び、係入部材２２から後方に向けて延設された左右一対の溝付きピン２３によって構成されている。固定連結部２０Ｂは、刈取フレーム９の第三支持フレーム部９Ｄに溶接された平面視コの字状のプレート材からなる受止部材２４と、受止部材２４に左右の各前後向き軸芯Ｐ４周りに揺動自在に支持された係合アーム２５によって構成されている。受止部材２４には、可動連結部２０Ａの連結部材２１を係入案内する左右の案内溝２４ａ、可動連結部２０Ａの係入部材２２を係入案内する左右の案内面２４ｂ、及び、可動連結部２０Ａの溝付きピン２３が挿通される貫通孔２４ｃが形成されている。係合アーム２５は、受止部材２４の貫通孔２４ｃを挿通した溝付きピン２３への係合操作により溝付きピン２３の環状溝部２３ａを外嵌挾持するようになっている。
【００２５】
つまり、前処理部２の左右両端以外に位置する四基の引起装置５は、刈取フレーム９における第一支持フレーム部９Ｂの回動フレーム部分９ｂに、上部の左右向き軸芯Ｐ３周りに振り上げ揺動操作可能に支持されている。又、可動連結部２０Ａの連結部材２１と、連結部材２１を係入案内する固定連結部２０Ｂにおける受止部材２４の左右の案内溝２４ａ、並びに、可動連結部２０Ａの係入部材２２と、係入部材２２を係入案内する固定連結部２０Ｂにおける受止部材２４の左右の案内面２４ｂによって、振り上げ揺動操作可能な四基の引起装置５を下降揺動操作する際に、それらの下部を所定の作業位置に向けて上下方向及び左右方向で係合案内する案内手段Ａが構成され、かつ、可動連結部２０Ａにおける左右の溝付きピン２３と、左右の溝付きピン２３の環状溝部２３ａを外嵌挾持する左右の係合アーム２５によって、振り上げ揺動操作可能な四基の引起装置５の下部を所定の作業位置に固定する固定手段Ｂが構成されている。
【００２６】
以上の構成から、補助搬送装置７や供給搬送装置８に対して、それらの穀稈詰まりに対する処理などのメンテナンス作業を行う際には、前処理部２の左右両端以外に位置する四基の引起装置５の下部の固定手段Ｂによる所定の作業位置での固定を解除し、それらの引起装置５を上部の左右向き軸芯Ｐ３周りに振り上げ揺動操作することによって、補助搬送装置７や供給搬送装置８の前方箇所を簡単に大きく開放することができるようになっており、これによって、補助搬送装置７や供給搬送装置８に対するメンテナンス作業を、大きく開放された補助搬送装置７や供給搬送装置８の前方箇所から容易に行えるようになっている。又、そのメンテナンス作業後にそれらの引起装置５の下部を所定の作業位置に固定する際には、それらの引起装置５を上部の左右向き軸芯Ｐ３周りに下降揺動操作すると、それらの引起装置５の下部が、案内手段Ａにより所定の作業位置に向けて上下方向及び左右方向で係合案内されるようになっており、これによって、それらの引起装置５の下部の上下方向及び左右方向への位置ズレを阻止することができ、もって、引起装置５の下部を所定の作業位置に容易かつ正確に位置させることができるようになっている。そして、所定の作業位置に位置するそれら引起装置５の下部を固定手段Ｂにより固定することによって、前処理部２の左右両端以外に位置する四基の引起装置５を補助搬送装置７や供給搬送装置８の前方箇所に所定の作業姿勢で固定できるようになっている。つまり、補助搬送装置７や供給搬送装置８の前方箇所を簡単に開閉できるようになっており、もって、補助搬送装置７や供給搬送装置８に対するメンテナンス作業を容易かつ迅速に行えるようになっている。
【００２７】
更に、前処理部２の左右両端以外に位置する四基の引起装置５のうち、隣接する左右の引起装置５を連結部材２１で連結していることによって、隣接する左右の引起装置５を一挙に上下揺動操作できるようになることから、隣接する左右の引起装置５を個別に上下揺動操作する場合に比較して、補助搬送装置７や供給搬送装置８の前方箇所をより簡単に開閉できるとともに、それらの引起装置５の下部を所定の作業位置に係合案内する案内手段Ａ、及び、それらの引起装置５の下部を所定の作業位置に固定する固定手段Ｂの設置個数を削減できる上に、その連結部材２１を案内手段Ａに利用していることから、補助搬送装置７や供給搬送装置８の前方箇所をより簡単に開閉できる構造でありながら、それに要する構成の簡素化並びに製造コストの低減化を図れるようになっている。
【００２８】
その上、固定手段Ｂが、引起装置５側の溝付きピン２３と刈取フレーム９側の係合アーム２５との係合構造であることから、引起装置５下部の所定の作業位置での固定及び固定解除を工具を用いることなく簡単に行えるようになっており、これによって、補助搬送装置７や供給搬送装置８の前方箇所を更に簡単に開閉できるようになり、もって、補助搬送装置７や供給搬送装置８に対するメンテナンス作業も更に容易に行えるようになっている。
【００２９】
図３，図６，図７及び図１１に示すように、振り上げ揺動操作される引起装置５の下端直前箇所に配備された分草具４は、その下端に連結された支持杆２６を介して、刈取フレーム９における第三支持フレーム部９Ｄの分草具支持管９ｄに前後向き軸芯Ｐ５周りに揺動自在に支持されるとともに、分草具支持管９ｄに立設されたブラケット２７と、ブラケット２７に穿設された前後向き軸芯Ｐ５を中心とする円弧状の長孔２７ａを挿通するように支持杆２６から後方に向けて延設された挿通杆２８とによって、起立した作用位置と左右一側方に倒伏した退避位置とに亘る範囲で揺動するように規制されている。ブラケット２７と挿通杆２８との間には、挿通杆２８の基端側にブラケット２７を受け止めるように溶接された環状の当板２９Ａと、挿通杆２８の延出端側に螺着されたバネ受具２９Ｂと、ブラケット２７とバネ受具２９Ｂとの間で圧縮された状態で挿通杆２８に外嵌装着されることによって当板２９Ａをブラケット２７に接当付勢する付勢バネ２９Ｃとから構成された保持機構２９が介装されている。つまり、分草具４は、分草作用する作用位置と、左右一側方に倒伏した退避位置とに変位可能に構成されており、退避位置に変位操作された状態では、引起装置５の揺動領域から外れて引起装置５の上下揺動操作を許容するようになっている。
【００３０】
つまり、引起装置５を振り上げ揺動操作する際には、その操作の邪魔になる分草具４を引起装置５の揺動領域から外れた退避位置に容易に変位させることができ、又、引起装置５を下降揺動操作した後は、分草具４を引起装置５の揺動領域内である作用位置に容易に戻すことができるようになっており、もって、引起装置５を振り上げ揺動操作する際に前もって工具を用いて分草具４を引起装置５の下端直前箇所から取り外す、及び、引起装置５を下降揺動操作した後に工具を用いて分草具４を引起装置５の下端直前箇所に再び取り付ける、といった手間が生じることを回避できるようになっている。
【００３１】
図１，図３及び図５に示すように、前処理部２には、前処理部２による前処理作業時に発生する塵埃の操縦部３０などへの飛散を防止する防塵カバー３１が、引起装置５から後方に向けて延出される状態で装備されている。防塵カバー３１は、引起装置５の上下揺動操作に連動して、引起装置５に近接する前部３１Ａが所定の防塵位置と引起装置５の振り上げ揺動を許容する非防塵位置とに亘って変位するように、防塵カバー３１の前部３１Ａである可動カバー部と、それ以外の固定カバー部３１Ｂとの二分割構造に構成されている。更に、可動カバー部３１Ａは、先述のように引起装置５が左右一対ずつで上下揺動操作されることから、それに対応して左右に二分割されている。固定カバー部３１Ｂは、刈取フレーム９から延設された補助フレーム３２に支持されており、その前端部には、左右の各可動カバー部３１Ａに対する左右一対ずつの第一揺動リンク３３が左右向き軸芯Ｐ６周りに揺動自在となるように連結されている。一方、刈取フレーム９の第一支持フレーム部９Ｂにおける左右の回動フレーム部分９ｂからは、それぞれ、回動フレーム部分９ｂの左右向き軸芯Ｐ３周りの回動に伴って左右向き軸芯Ｐ３周りに揺動する左右一対の第二揺動リンク３４が延設されている。そして、それらの第一揺動リンク３３と第二揺動リンク３４の各遊端に、対応する左右の各可動カバー部３１Ａが平行四連リンクを形成する状態に枢支連結されており、各引起装置５の上下揺動操作に連動して、対応する左右の可動カバー部３１Ａが所定の防塵位置と非防塵位置とに亘って平行移動変位するようになっている。
【００３２】
この構成から、引起装置５の上部に近接していることによって引起装置５の振り上げ揺動操作に支障を来すようになる防塵カバー３１を、引起装置５の振り上げ揺動操作の際に所定の防塵位置から取り外す、及び、引起装置５の下降揺動操作の後に所定の防塵位置に再び取り付ける、などの手間が生じることを回避できるようになっている。
【００３３】
図３に示すように、各引起装置５のガイドレール１７は、下ガイドレール部１７Ａと上ガイドレール部１７Ｂとに二分割されるとともに、上ガイドレール部１７Ｂが、その下端に設定された支点Ｐ７周りに揺動変位可能で、かつ、付勢バネ３５の作用によって所定の案内姿勢に復帰するように構成されている。この構成により、引起装置５による植立穀稈の引き起こし時において、植立穀稈の穂先側の絡みつきなどに起因して引起爪１６に過負荷がかかった際には、上ガイドレール部１７Ｂが所定の案内姿勢から支点Ｐ７周りに揺動変位して、引起爪１６の作用姿勢から非作用姿勢への姿勢変更を許容し、引起爪１６による無理な引き起こしを回避するようになることから、強引な引き起こし作動による引起爪１６やガイドレール１７の破損を防止できるようになっている。
【００３４】
〔別実施形態〕
以下、本発明の別実施形態を列記する。
（１）コンバインとしては、四条刈り用、あるいは五条刈り用のものなどであってもよい。
（２）案内手段Ａ及び固定手段Ｂの構成は種々の変更が可能である。例えば、固定手段Ｂを、上記の実施形態で例示したように、溝付きピン２３の環状溝部２３ａを係合アーム２５が外嵌挾持することによって、引起装置５の下部を所定の作業位置に固定する構成に代えて、溝付きピン２３の環状溝部２３ａに対して係合アーム２５を係合付勢する付勢バネを設けて、引起装置５の下部を所定の作業位置に固定するように構成してもよい。
（３）図１２に示すように、連結部材２１を固定手段Ｂに利用するように構成してもよい。尚、図１２における符号３６は、連結部材２１に係合して引起装置５の下部を作業位置に固定するフック部材である。
（４）分草具４としては、前方への倒伏揺動あるいは前方へのスライド移動などによって引起装置５の揺動領域から外れた位置に変位するように構成されたものであってもよい。
（５）防塵カバー３１としては、その前部（可動カバー部）３１Ａが、引起装置５の上下揺動操作に連動して所定の防塵位置と非防塵位置とに亘って揺動変位するように構成されたものであってもよい。
【図面の簡単な説明】
【図１】  自脱型コンバイン前半部の側面図
【図２】  前処理部の構成を示す概略平面図
【図３】  前処理部の構成を示す正面図
【図４】  引起装置の支持構造を示す要部の縦断正面図
【図５】  引起装置上部及び防塵カバーの支持構造を示す要部の縦断側面図
【図６】  引起装置下部及び分草具の支持構造を示す要部の縦断側面図
【図７】  引起装置下部と刈取フレームの連結を解除した状態を示す要部の縦断側面図
【図８】  案内手段及び固定手段の構成を示す要部の横断平面図
【図９】  案内手段及び固定手段の構成を示す要部の背面図
【図１０】  案内手段及び固定手段の構成を示す要部の斜視図
【図１１】  分草具の支持構造を示す要部の縦断正面図
【図１２】  別実施形態における固定手段の構成を示す要部の斜視図
【符号の説明】
４      分草具
５      引起装置
２１    連結部材
３１    防塵カバー
３１Ａ  前部
Ａ      案内手段
Ｂ      固定手段
Ｐ３    左右向き軸芯
【図１】
0004017233.tif 000002
【図２】
0004017233.tif 000003
【図３】
0004017233.tif 000004
【図４】
0004017233.tif 000005
【図５】
0004017233.tif 000006
【図６】
0004017233.tif 000007
【図７】
0004017233.tif 000008
【図８】
0004017233.tif 000009
【図９】
0004017233.tif 000010
【図１０】
0004017233.tif 000011
【図１１】
0004017233.tif 000012
【図１２】
0004017233.tif 000013